(57)【要約】【課題】ネットワーク上から入手した情報のデータ形式に基づいて、該情報の取扱い方法を自動的に確定する画像処理装置及びそれを備えた情報処理システム、並びに情報処理方法を提供する。【解決手段】本発明のデジタル複合機１３は、インターネット１１を介してサーバ１２に接続するためのネットワーク接続部５と、サーバ１２から受信した情報のデータ形式を判別するとともに、この判別結果に基づいて、デジタル複合機１３での情報の取扱い方法を設定する処理判定設定部４とを備えている。【選択図】  図１
2004206302.tif 000002
【特許請求の範囲】
【請求項１】
ネットワークを介してサーバに接続するためのネットワーク接続部を備えた画像処理装置において、
上記サーバから受信した情報の種類を判別する判別部と、
上記判別部の判別結果に基づいて、上記情報の取扱い方法を設定する処理設定部とを備えていることを特徴とする画像処理装置。
【請求項２】
さらに、上記情報を表示する表示部を備え、
上記判別部は、上記表示部に表示された上記情報の中から選択された情報の種類を判別することを特徴とする請求項１記載の画像処理装置。
【請求項３】
上記表示部は、さらに、上記処理設定部にて設定された取扱い方法を表示することを特徴とする請求項１又は２記載の画像処理装置。
【請求項４】
さらに、上記情報の画像処理を行う画像処理部と、上記情報を蓄積する情報蓄積部とを備え、
上記判別部は、上記画像処理部にて画像処理が可能な種類の情報であるか否かを判別し、
上記処理設定部は、上記判別部にて上記情報の画像処理が可能であると判別された情報を上記画像処理部で取扱い、上記判別部にて上記情報の画像処理が不可能であると判別された情報を上記情報蓄積部で取扱う取扱い方法を設定することを特徴とする請求項１、２又は３記載の画像処理装置。
【請求項５】
請求項１〜４のいずれか１項に記載の画像処理装置と、各種の情報を管理するとともに上記画像処理装置に対して上記情報を提供するサーバとが、ネットワークを介して接続されてなることを特徴とする情報処理システム。
【請求項６】
サーバが管理する情報をネットワークを介して受信可能な画像処理装置が行う情報処理方法であって、
上記サーバから受信した情報の種類を判別する判別ステップと、
上記判別ステップでの判別結果に基づいて、上記情報の取扱い方法を設定する取扱い設定ステップとを備えていることを特徴とする情報処理方法。
【請求項７】
上記判別ステップでは、上記画像処理装置にて画像処理が可能な種類の情報であるか否かを判別し、
上記取扱い設定ステップでは、上記判別ステップにて画像処理が可能であると判別された情報に対して、画像処理の取扱い方法を設定し、上記判別ステップにて画像処理が不可能であると判別された情報に対して、該情報を蓄積する情報蓄積処理の取扱い方法を設定することを特徴とする請求項６記載の情報処理方法。
【発明の詳細な説明】
【０００１】
【発明の属する技術分野】
本発明は、インターネットやＬＡＮ等のネットワーク上に存在する各種情報を入手するとともに、入手した情報の印刷処理等による取扱いが可能な画像処理装置及び画像処理装置を備えてなる情報処理システムに関する。
【０００２】
【従来の技術】
ローカルエリアネットワーク（ＬＡＮ）上に複数台のパーソナルコンピュータ（ＰＣ）とネットワークプリンタとが設置されている場合、各ＰＣからのプリント指示によって、ネットワークプリンタにプリント処理を実行させることができる。具体的には、ＰＣ側にて起動しているソフトウェアからネットワークプリンタに、ＬＡＮを介してプリント指示を送信する。これにより、ネットワークプリンタでは、上記プリント指示に基づいて記録用紙等への印刷処理が行われる。このように、上記ネットワークプリンタは、ＬＡＮ等のネットワークに接続されたＰＣ等からの印刷処理を受け付けて、指示された印刷処理を実行している。
【０００３】
一方、特許文献１には、上記したＬＡＮの域を越えて、イントラネットやインターネットの域にて、ネットワークへの接続が可能なネットワークプリンタが提案されている。上記特許文献１に記載のネットワークプリンタでは、該ネットワークプリンタに接続されているＰＣを介することなく、ネットワークプリンタから直接インターネット上のサーバ等に接続して、該サーバ等が提供する情報にアクセスすることが可能になっている。そして、上記ネットワークプリンタは、ＰＣの指示を受けることなく、インターネットを介して受信した上記情報を記録用紙等に印刷している。
【０００４】
ところで、近年、上記ネットワークプリンタが有するネットワークプリント機能に加えて、さらにスキャナ機能やサーバ機能等を備えたデジタル複合機が提案されている。このようなデジタル複合機を上記ＬＡＮや上記インターネット等に接続すれば、上記スキャナ機能を利用して読み取った画像データや上記インターネットを介して受信した情報をＰＣへ送信する、あるいは、デジタル複合機にて上記画像データや上記情報の印刷処理を行うことができる。また、上記サーバ機能を利用すれば、上記画像データや上記情報をデジタル複合機内に蓄積して管理することが可能になる。
【０００５】
【特許文献１】
特開平１０−２１４１６３号公報（平成１０（１９９８）年８月１１日公開）
【０００６】
【発明が解決しようとする課題】
しかしながら、上記特許文献１のように、ＰＣを介することなくインターネット上のサーバから情報を受信して印刷処理を行う場合、受信された情報は、デジタル複合機にてデータ処理を施すことができないデータ形式となっている場合があるという問題を有している。
【０００７】
一般に、上記デジタル複合機がＰＣからの要求によって印刷処理を行う場合、ＰＣに搭載されたソフトウェアからデータ処理の要求がデジタル複合機になされ、この要求に基づいて、デジタル複合機での印刷処理が実行される。これに対し、デジタル複合機は、コスト上の観点から通常、上記ＰＣに搭載されているソフトウェアを備えていないため、デジタル複合機にてデータ処理が可能なデータ形式は限られている。従って、インターネット上のサーバから受信した情報のデータ形式によっては、デジタル複合機内のソフトウェアでデータ処理を行うことができず、それゆえ、受信した情報に対して即座に印刷処理を施すことができない場合がある。
【０００８】
上記のようにデジタル複合機にてデータ処理を行うことができない情報をデジタル複合機が受信した場合、ユーザは、ＬＡＮ等を介して接続されているＰＣに一旦、受信した情報を送信する必要がある。そして、ＰＣ上のソフトウェアから、上記情報に対する印刷処理の要求をデジタル複合機に送信することによって、デジタル複合機にて印刷処理を実行することが可能になる。
【０００９】
このように、インターネットを介して直接受信した情報を、デジタル複合機にてデータ処理することができない場合、ユーザに要求される操作が煩雑化し、印刷処理等に要する時間が増大することになる。さらに、ユーザが受信した情報のデータ形式を正しく認識していない場合等、デジタル複合機での上記情報のデータ処理が迅速に行われない可能性がある。このような場合、デジタル複合機が有するコピー機能やスキャナ機能、サーバ機能等の本来の機能に影響を与え、その結果、デジタル複合機での操作性の低下を招く。
【００１０】
本発明は、上記従来の問題点を解決するためになされたものであって、その目的は、ネットワーク上から入手した情報のデータ形式に基づいて、該情報の取扱い方法を自動的に確定することにより、利用者にとって使い勝手の良い画像処理装置及びそれを備えた情報処理システム、並びに情報処理方法を提供することにある。
【００１１】
【課題を解決するための手段】
本発明の画像処理装置は、上記課題を解決するために、ネットワークを介してサーバにするためのネットワーク接続部を備えた画像処理装置において、上記サーバから受信した情報の種類を判別する判別部と、上記判別部の判別結果に基づいて、上記情報の取扱い方法を設定する処理設定部とを備えていることを特徴としている。
【００１２】
上記の構成によれば、画像処理装置が情報のデータ形式等の種類を判別する判別部を備えているので、サーバから上記画像処理装置に提供される情報の種類を判別することができる。そして、この判別結果に基づいて、上記処理設定部は、画像処理装置での上記情報の取扱い方法を設定する。
【００１３】
これにより、サーバによって提供される情報の種類に応じて、所定の取扱い方法を自動的に設定することができる。それゆえ、上記情報を入手する場合に、上記情報の種類に応じて適切な取扱い方法をユーザに対して提案することができる。特に、サーバから入手した情報の種類や、上記画像処理装置にてデータ処理を行い得る情報の種類を正しく認識していないユーザに対しても、上記情報の種類に応じた好適な取扱い方法を提案することができるので、ユーザの操作性を向上することができる。
【００１４】
また、上記判別部で入手した情報の種類を判別しているので、上記情報の種類に応じて、画像処理装置にて可能な取扱い方法を設定することができる。それゆえ、画像処理装置での上記情報の取扱いを迅速に行うことができるので、画像処理装置の操作性を向上することができる。
【００１５】
また、本発明の画像処理装置は、上記の画像処理装置において、さらに、上記情報を表示する表示部を備え、上記判別部は、上記表示部に表示された上記情報の中から選択された情報の種類を判別することを特徴としている。
【００１６】
上記の構成によれば、ユーザは、サーバから入手可能な情報のうち、所望する情報のみを選択して入手することができる。ユーザによって選択された情報は、上記判別部にて種類が判別されて、上記処理設定部にて取扱い方法が設定されるので、ユーザは、画像処理装置を用いて、容易に所望する情報を入手することができる。
【００１７】
また、本発明の画像処理装置は、上記の画像処理装置において、上記表示部は、さらに、上記処理設定部にて設定された取扱い方法を表示することを特徴としている。
【００１８】
上記の構成によれば、ユーザに対して、処理設定部にて設定された情報の取扱い方法を通知することができる。これにより、ユーザは、上記処理設定部にて設定された情報の取扱い方法が、所望する取扱い方法であるか否かを判断することができる。これにより、上記画像処理装置にて、ユーザが所望しない取扱い方法が設定されることを防止することができる。
【００１９】
また、本発明の画像処理装置は、上記の画像処理装置において、さらに、上記情報の画像処理を行う画像処理部と、上記情報を蓄積する情報蓄積部とを備え、上記判別部は、上記画像処理部にて画像処理が可能な種類の情報であるか否かを判別し、上記処理設定部は、上記判別部にて上記情報の画像処理が可能であると判別された情報を上記画像処理部で取扱い、上記判別部にて上記情報の画像処理が不可能であると判別された情報を上記情報蓄積部で取扱う取扱い方法を設定することを特徴としている。
【００２０】
上記の構成によれば、情報の種類に応じて、画像処理が可能な情報については、画像処理装置の画像処理部にて、即座に画像処理を行うことができる。すなわち、画像処理装置にて入手した情報に対して、画像処理装置以外の情報処理装置を経ることなく画像処理を施すことができるので、上記情報の画像処理を迅速に実行することができる。
【００２１】
また、画像処理が可能でない情報については、一旦情報蓄積部に格納される。上記情報蓄積部に格納された情報は、ネットワークを介して、又は、記憶媒体等を用いて、上記画像処理装置から外部の情報処理装置等へ移動することによって、外部の情報処理装置等にて各情報に好適な処理を施すことができる。
【００２２】
また、本発明の情報処理システムは、上記の課題を解決するために、上記画像処理装置と、各種の情報を管理するとともに上記画像処理装置に対して上記情報を提供するサーバとが、ネットワークを介して接続されてなることを特徴としている。
【００２３】
上記の構成によれば、ネットワークを介してサーバから提供される情報の種類が、上記画像処理装置によって判別される。それゆえ、サーバから提供された情報の種類をユーザが認識するまでもなく、上記情報に対して、好適な取扱い方法を設定することができる。これにより、ユーザ及び画像処理装置の操作性を向上することができる。
【００２４】
また、本発明の情報処理方法は、上記の課題を解決するために、サーバが管理する情報をネットワークを介して受信可能な画像処理装置が行う情報処理方法であって、上記サーバから受信した情報の種類を判別する判別ステップと、上記判別ステップでの判別結果に基づいて、上記情報の取扱い方法を設定する取扱い設定ステップとを備えていることを特徴としている。
【００２５】
上記の方法によれば、ネットワークを介してサーバから提供される情報の種類が判別され、この判別結果に基づいて、上記情報の取扱い方法が設定される。これにより、サーバから提供される情報の種類をユーザが判断しなくても、情報の種類に応じた取扱い方法を設定することができる。
【００２６】
また、本発明の情報処理方法は、上記の情報処理方法において、上記判別ステップでは、上記画像処理装置にて画像処理が可能な種類の情報であるか否かを判別し、上記取扱い設定ステップでは、上記判別ステップにて画像処理が可能であると判別された情報に対して、画像処理の取扱い方法を設定し、上記判別ステップにて画像処理が不可能であると判別された情報に対して、該情報を蓄積する情報蓄積処理の取扱い方法を設定することを特徴としている。
【００２７】
上記の方法によれば、画像処理装置での画像処理が可能な情報については、該情報を受信した画像処理装置にて、即座に画像処理を行うことができるので、上記情報に対して迅速に画像処理を施すことができる。また、画像処理装置での画像処理が可能でない情報については、該情報を蓄積する情報蓄積処理がなされる。そのため、画像処理装置で画像処理等の所望する処理を実行することができない情報であっても、画像処理装置にて一旦受信した後、他の情報処理装置などにて所望する処理を施すことができる。
【００２８】
【発明の実施の形態】
本発明の実施の一形態について図１ないし図１７に基づいて説明すれば、以下の通りである。
【００２９】
本実施の形態の情報処理システムは、図２に示すように、インターネット（ネットワーク）１１を介して、サーバ１２と、画像処理装置であるネットワーク対応型のデジタル複合機１３〜１５及びホストコンピュータ１６やパーソナルコンピュータ１７・１８（以下、これらをＰＣ１６・ＰＣ１７・ＰＣ１８と記載する）とが相互に接続されている。
【００３０】
また、本実施の形態では、デジタル複合機１３とＰＣ１６とがローカルエリアネットワーク（以下、ＬＡＮと記載する）１９によって相互に接続され、デジタル複合機１４と複数台のＰＣ１７とがＬＡＮ２０によって相互に接続され、デジタル複合機１５とＰＣ１８とがＬＡＮ２１によって接続されている。このように、上記サーバ１２と、デジタル複合機１３〜１５と、ＰＣ１６〜１８とは、インターネット１１及びＬＡＮ１９〜２１によって相互に接続されているので、これらの間にて、相互に情報の送受信が可能になっている。
【００３１】
なお、図２には、インターネット１１に接続されるサーバとして、サーバ１２のみを示しているが、サーバは１つに限定されるものではなく、通常、上記情報処理システムには、複数台のサーバが備えられている。また、デジタル複合機１３〜１５及びＰＣ１６〜１８の台数も図２に記載の台数に限定されない。さらに、インターネット１１やＬＡＮ１９〜２１を介した各装置の接続形態についても、図２に記載の接続形態に限定されるものではない。
【００３２】
上記サーバ１２は、該サーバ１２内に格納された各種の情報を管理するとともに、これらの情報を上記インターネット１１を介して、デジタル複合機１３〜１５やＰＣ１６〜１８に対して提供している。
【００３３】
上記デジタル複合機１３〜１５は、コピー、ファックス、プリンタ、文書管理（情報蓄積）の機能等、従来公知のデジタル複合機としての構成を備え、さらに、インターネット１１やＬＡＮ１９〜２１に接続するためのネットワーク接続部を備えている。また、上記デジタル複合機１３〜１５は、例えば、ＷＷＷ（World Wide Web）サーバが提供するホームページ等を記載するための言語であるＨＴＭＬ（HyperText Markup Language）形式に対応可能なインターネットブラウザ（ウェブ（Web）ブラウザ）を備えている。
【００３４】
以下では、上記デジタル複合機１３〜１５のうち、デジタル複合機１３を例に挙げて説明するが、これらの説明は、デジタル複合機１４・１５にも同様に当てはまるものである。
【００３５】
上記デジタル複合機１３は、図１に示すように、デジタル複合機１３全体の動作を制御する制御部１と、コピー、ファックス、プリンタ等の各種の画像処理機能を実行するための画像処理部２と、デジタル複合機１３に入力された情報等を記憶するための情報蓄積部３と、デジタル複合機１３に入力された情報の種類であるデータ形式を判別し、判別されたデータ形式に基づいて情報の取扱い方法を設定する処理判定設定部（判別部、処理設定部）４と、インターネット１１やＬＡＮ１９（図２）に接続するためのネットワーク接続部５と、ユーザに対する案内表示やユーザからの操作指示を受け付ける操作部３０とを備えている。なお、図１では、デジタル複合機１３に接続されるＰＣ１６及びＬＡＮ１９を省略し、インターネット１１及びサーバ１２のみを示している。
【００３６】
上記制御部１は、画像処理部２、情報蓄積部３、処理判定設定部４、ネットワーク接続部５、操作部３０の動作を制御し、画像処理装置全体の動作を制御している。
【００３７】
上記画像処理部２としては、各種の画像処理を実行し、例えば、印刷処理を行うプリンタとしての画像形成部や、原稿をスキャンするスキャナとしての画像読み取り部や、電話回線を用いたデータの送受信を行うファックスとしての通信部を備えている。上記画像処理部２は、ＰＣ１６にてデータ処理が施され、画像処理が要求された画像処理データに対して画像処理を実行するとともに、サーバ１２から直接受信した情報に対して画像処理を施す。
【００３８】
ここで、デジタル複合機１３にてサーバ１２から直接受信した情報のうち、デジタル複合機１３にて画像処理が施される情報は、デジタル複合機１３に搭載されたソフトウェアを用いて、該情報のファイルを閲覧することや編集すること等のデータ処理が可能なデータ形式の情報である。デジタル複合機１３にてデータ処理が可能なデータ形式の情報については、ＬＡＮ１９を介してＰＣ１６等へ転送されることなく、上記画像処理部２に送信されることによって、画像処理を行うことができる。
【００３９】
上記デジタル複合機１３のソフトウェアにてデータ処理が可能な情報のデータ形式としては、例えば、上記したＨＴＭＬ形式や、アドビシステムズ社（Adobe Systems Incorporated）のAcrobat（登録商標） Reader（Acrobat Reader（登録商標））のファイル形式であるＰＤＦ（Portable Document Format）ファイル形式、カラー静止画像の圧縮形式であるＪＰＥＧ（Joint Photographic Experts Group）形式等を挙げることができる。すなわち、デジタル複合機１３には、上記ＨＴＭＬ形式、ＰＤＦファイル形式、ＪＰＥＧ形式の情報のデータ処理が可能なソフトウェアが備えられている。
【００４０】
一方、本実施の形態では、デジタル複合機１３には、上記ＨＴＭＬ形式、ＰＤＦファイル形式、ＪＰＥＧ形式以外のデータ形式のデータ処理が可能なソフトウェアは搭載されていない。つまり、例えば、マイクロソフト（Microsoft）社が提供しているワードプロセッサソフトウェアであるマイクロソフト（Microsoft（登録商標））ワード（Word）や、表計算ソフトウェアであるマイクロソフトエクセル（Excel）等のデータ形式（以下、それぞれワードデータ形式、エクセルデータ形式と記載する）の情報のデータ処理が可能なソフトウェアは備えられていない。それゆえ、デジタル複合機１３が、ワードデータ形式やエクセルデータ形式からなる情報を、インターネット１１を介して直接受信した場合には、これらのデータ形式のデータ処理が可能なソフトウェアを搭載しているＰＣ１６等に送信し、ＰＣ１６からの画像処理の要求を受信しない限り、デジタル複合機１３にて画像処理を行うことはできない。
【００４１】
従って、上記ワードデータ形式やエクセルデータ形式からなる情報については、これらのデータ形式の情報のデータ処理が可能なＰＣ１６等に転送した後、ＰＣ１６等にてデータ処理を施す。そして、デジタル複合機１３に上記情報の画像処理データを送信して画像処理を指示することによって、画像処理が実行されることになる。
【００４２】
なお、本実施の形態では、上記デジタル複合機１３にてデータ処理が可能なデータ形式として、ＨＴＭＬ形式、ＰＤＦファイル形式、ＪＰＥＧ形式を挙げ、上記デジタル複合機１３にてデータ処理が不可能なデータ形式として、ワードデータ形式やエクセルデータ形式を挙げているが、これに限定されるものではない。すなわち、上記データ処理が可能なデータ形式としては、デジタル複合機１３に搭載されるソフトウェアに応じて決定されるものであり、文書データ形式、画像データ形式等、特に限定されるものではない。但し、上記デジタル複合機１３にてデータ処理を行うことが可能なデータ形式としては、デジタル複合機１３の本来の機能であるコピー機能、ファックス機能、プリンタ機能、スキャナ機能等に悪影響を及ぼさないソフトウェアによってデータ処理が可能であり、また、デジタル複合機１３のコストが高価にならないソフトウェアによってデータ処理が可能なデータ形式であることが好ましい。
【００４３】
また、情報蓄積部３は、例えば、磁気記憶媒体や光磁気記憶媒体等を備えた記憶手段である。この情報蓄積部３には、上記画像読み取り部や通信部を介して入力された情報、ＬＡＮ１９（図２）を介してＰＣ１６から入力された情報（画像処理データ）、インターネット１１を介してサーバ１２から受信した情報等が記憶されている。
【００４４】
処理判定設定部４は、インターネット１１を介して受信した情報のデータ形式に応じて、該情報の取扱い方法を設定する。例えば、上記したように、受信した情報のデータ形式が、デジタル複合機１３に備えられているソフトウェアでデータ処理を行うことが可能であれば、該情報を上記画像処理部２に送信して、所定の画像処理を施すようにする。また、受信した情報のデータ形式が、デジタル複合機１３に備えられているソフトウェアでデータ処理を行うことができない場合や、ファームウェアのアップデートを行うファームアップ実行ファイルデータ等のプログラムファイルデータである場合には、上記情報蓄積部３の所定の領域（エリア）に情報を格納する。
【００４５】
本実施の形態では、詳細は後述するが、上記したＨＴＭＬ形式、ＰＤＦファイル形式、ＪＰＥＧ形式の情報については、画像処理部２の画像形成部に送信されて印刷処理に供されるように、あらかじめ設定されていることとする。また、上記ＨＴＭＬ形式、ＰＤＦファイル形式、ＪＰＥＧ形式以外の文書データ形式又は画像データ形式の情報については、上記情報蓄積部３の所定のエリアに記憶されるように、あらかじめ設定されていることとする。さらに、上記プログラムファイルデータについては、上記情報蓄積部３の所定のエリアに格納されるように、あらかじめ設定されていることとする。
【００４６】
このように、処理判定設定部４にて設定される情報の取扱いの具体的な内容は、あらかじめメーカー側やユーザ等にて設定されていればよく、上記の情報の取扱い方法に限定されるものではない。つまり、あらかじめ指定されたデータ形式の情報については、指定されたＰＣ１６に送信するように設定しておく、あるいは指定された送信先にファックスで送信する等、データ形式に応じて他の取扱い方法が設定されていてもよい。
【００４７】
上記ネットワーク接続部５は、デジタル複合機１３がインターネット１１やＬＡＮ１９に接続するために設けられ、ＰＣ１６によって送信された情報やインターネット１１を介してサーバ１２が提供している情報を受信する。
【００４８】
上記操作部３０は、図３に示すように、操作表示パネル（表示部）３１と、入力部とを備えている。入力部は、操作ボタン３２と、操作表示パネル３１内のタッチパネルキー３３とである。
【００４９】
操作表示パネル３１は、例えばドットマトリックスＬＣＤであり、ＨＴＭＬ形式にて提供される情報の表示が可能となっている。そのため、上記操作表示パネル３１には、コピー、ファックス、プリンタ、情報蓄積等の情報処理に関する表示が行われるとともに、インターネットを介してサーバから提供された情報を表示することができる。
【００５０】
また、操作表示パネル３１の表面には透明のタブレットが設けられている。この操作表示パネル３１に案内情報やタッチパネルキー３３を表示して、ユーザが表示された情報を確認しながら、タッチパネルキー３３を押下（タッチ）することで、デジタル複合機１３に対する操作指示が行われる。操作表示パネル３１に表示される案内情報やタッチパネルキー３３は、後述する操作ボタン３２やタッチパネルキー３３による操作等によって変化する。例えば、操作表示パネル３１に表示されるタッチパネルキー３３を押下することによって、サーバが提供している情報の中から、所望する情報を選択して取得することができる。
【００５１】
上記操作ボタン３２は、上記タッチパネルキー３３と同様に、ユーザからの操作指示を、デジタル複合機１３に入力するために用いられる。
【００５２】
次に、上記構成のデジタル複合機１３の動作について説明する。画像処理として例えばコピー処理を行う場合、図３に示す操作ボタン３２のうちの「コピー」キーｂが押下されることによって、上記デジタル複合機１３はコピーモードとなる。これにより、操作表示パネル３１には、図４に示すように、コピー処理を行う際のコピー条件を設定するためのタッチパネルキー３３や、設定されたコピー条件が表示される。具体的には、操作ボタン３２（図３）やタッチパネルキー３３を操作することにより、コピー枚数、コピー濃度、用紙サイズ、コピー倍率、ステープラ処理等の機能的処理、両面印刷、コピー処理された書類を分類して排出するソート処理等のコピー動作に関する各種のコピー条件の設定を行うことができる。このように、操作ボタン３２やタッチパネルキー３３によって設定されたコピー条件は、操作表示パネル３１に表示される（図示せず）。
【００５３】
また、詳細な説明は省略するが、デジタル複合機１３のファックス機能やプリンタ機能を利用する場合には、図３に示す「ファックス」キーｃ又は「プリンタ」キーｄを押下することにより、上記コピー処理の場合と同様に、ファックス処理やプリント処理を実行するための条件設定を行うことができる。
【００５４】
さらに、上記操作表示パネル３１に、インターネット１１を介してサーバ１２から提供された情報を閲覧あるいは入手する場合には、図３に示す操作ボタン３２のうちの「インターネット」キーａを押下する。これにより、上記操作表示パネル３１には、図５に示す画面が表示される。このとき、図５に示すように、操作表示パネル３１には、「ホームページ閲覧できます。」の表示がなされた基本操作画面が表示され、ユーザに対して、インターネットを介してサーバが提供するホームページ等を閲覧することが可能であることを通知する。また、図５に示す操作表示パネル３１には、タッチパネルキーとして、「お気に入り」キー３４、「アドレス入力」キー３５、「履歴」キー３６も表示される。
【００５５】
ここで、例えば、図５に示す「お気に入り」キー３４を押下すると、操作表示パネル３１には、図６に示すように、あらかじめユーザによってサーバアドレス（ＩＰアドレス）が登録されたサーバを示すタッチパネルキー３８が表示されたお気に入り画面が表示される。上記サーバアドレスとは、インターネットを介してサーバによって提供されている情報であるホームページやドキュメントファイル等を特定するために必要な認識コードである。
【００５６】
上記タッチパネルキー３８として、例えば、図６に示すお気に入り画面では、後述するデータリストを提供するサーバに接続可能であることを示す「データリスト」キーｅ、各種製品の仕様書のデータベースを管理しているサーバに接続可能であることを示す「仕様書データベース」キー、ホームページを開設している新聞社や会社のサーバに接続可能であることを示す「○○新聞」キーや「△△△株式会社」キー、気象情報を提供するサーバに接続可能であることを示す「気象情報」キー、各種ニュースを提供しているサーバに接続可能であることを示す「最新ニュース」キー、旅行情報を提供しているサーバに接続可能であることを示す「トラベル情報」キー、展示会や展覧会等のショウレポートを提供しているサーバに接続可能であることを示す「ショウレポート」キー等が表示される。なお、あらかじめユーザによって登録されているすべてのサーバアドレスをタッチパネルキー３８として、操作表示パネル３１上に一覧表示する必要はなく、スクロール操作等によって一覧表示することができるようになっていてもよい。
【００５７】
上記のように、上記タッチパネルキー３８には、各サーバによって提供されている情報の内容や、情報の名称、あるいは図示していないサーバアドレス等のサーバを示す表示がなされるので、この表示に基づいて、ユーザは、タッチパネルキー３８を押下すればよい。これにより、図１に示すネットワーク接続部５からインターネット１１を介して、ユーザが所望する情報を提供しているサーバ１２にアクセスすることができる。
【００５８】
これに対し、図５に示す「アドレス入力」キー３５を押下すると、操作表示パネル３１には、図７に示すように、アドレス入力に必要な文字を入力するためのキーボードを模したタッチパネルキー（以下、キーボードタッチパネルキーと記載する）３９が表示されたアドレス入力画面が表示される。ユーザは、このキーボードタッチパネルキー３９を操作して、例えば、ユーザが所望する情報を提供しているサーバのサーバアドレスを入力する。これにより、ネットワーク接続部５（図１）からインターネット１１を介して、所望するサーバにアクセスすることができる。このように、キーボードタッチパネルキー３９を操作して入力されたサーバアドレスは、上記にて図６を用いて説明したタッチパネルキー３８として表示されるように登録してもよい。
【００５９】
また、図５に示す「履歴」キー３６を押下すると、操作表示パネル３１には、図８に示すように、過去にアクセスしたサーバのサーバアドレスを確認することができる履歴画面が表示される。例えば、図８に示すように、「今日」キー、「昨日」キー、「先週」キー、「先々週」キー等のタッチパネルキー４０が表示される。つまり、デジタル複合機１３には、過去にアクセスしたサーバのサーバアドレスが、今日・昨日・先週・先々週といった時期ごとに、分類して格納されている。そのため、このタッチパネルキー４０を押下すれば、タッチパネルキー４０に表示された時期にアクセスしたサーバが、例えば図６のお気に入り画面に示すタッチパネルキー３８のように表示される。そして、所望するサーバを示す表示がなされたタッチパネルキー（図示せず）をユーザが押下することにより、アクセス先のサーバが確定する。これにより、ネットワーク接続部５（図１）からインターネット１１を介して、所望するサーバにアクセスすることができる。
【００６０】
なお、図６〜図８に示される「ホーム」キー３７は、図に示す操作ボタン３２のうちのインターネットキーが押下された際に、操作表示パネル３１に表示される基本操作画面（図５）に戻るために設けられている。
【００６１】
以上のように、図１に示すデジタル複合機１３では、インターネット１１を介して、サーバ１２に接続することにより、各種の情報にアクセスすることができる。ユーザは、デジタル複合機１３が接続したサーバ１２が提供している各種情報にアクセスし、上記操作表示パネル３１上にて閲覧する、あるいは、アクセスした情報を、図１に示す情報蓄積部３に格納して蓄積することができるようになっている。
【００６２】
次に、デジタル複合機１３にて、インターネット１１を介してサーバ１２に接続し、該サーバ１２が提供している情報にアクセスし、該情報を入手する動作について説明する。ここでは、図５に示す基本操作画面にて「お気に入り」キー３４を押下して、図６に示すお気に入り画面を表示し、さらに、このお気に入り画面にて「データリスト」キーｅを押下した場合について説明する。なお、「データリスト」キーｅを押下した場合には、各種の情報のデータファイルをホームページ上にて提供しているサーバに、アクセスすることができるものとする。
【００６３】
上記「データリスト」キーｅが押下されると、操作表示パネル３１には、図９に示すように、ホームページ上にて提供されている各種情報のデータファイルのリスト（以下、データリストと記載する）が表示される。すなわち、例えば、あるメーカーが販売している装置の「ＡＲ０１」という機種のカタログ、説明書、仕様書、該装置の動作制御を行うプログラム等の情報のデータファイル名（図中、それぞれ「ＡＲ０１カタログ」、「ＡＲ０１説明書」、「ＡＲ０１仕様書」、「ＡＲ０１プログラム」）が表示される。
【００６４】
また、通常、ホームページ上にて提供されている各種の情報には、アクセスしたユーザが情報のデータ形式を確認できるように、データ形式の表示がなされている。例えば、図９に示すデータリストには、上記カタログ及び説明書のデータファイル名の表示とともに、さらに、該カタログ及び説明書がＰＤＦファイル形式であることを示す「ＰＤＦ」の表示がなされている。また、上記仕様書のデータファイル名の表示とともに、該仕様書がワードデータ形式であることを示す「Ｗｏｒｄ」の表示がなされており、上記プログラムのデータファイル名の表示とともに、該プログラムが、プログラムファイルデータであることを示す「Ｄａｔａ」の表示がなされている。
【００６５】
このように、インターネット１１を介して提供された情報は、種々のデータ形式にて提供されている。上記したように、デジタル複合機１３は、上記ＰＤＦファイル形式に対応可能なソフトウェアを備えているので、ＰＤＦファイル形式の上記カタログ又は説明書を示すデータファイル名がユーザによって選択された場合には、図１に示す処理判定設定部４は、上記カタログ又は説明書のデータファイルの印刷処理を行うことを決定する。
【００６６】
具体的には、図９に示すデータリストのうち、「ＡＲ０１カタログ」又は「ＡＲ０１説明書」が選択されると、処理判定設定部４は、デジタル複合機１３にて印刷処理が可能であると判定する。続いて、図１０に示すように、操作表示パネル３１には、「データをプリントします。」の表示がなされたプリント操作画面が表示され、「ＡＲ０１カタログ」又は「ＡＲ０１説明書」のデータファイルの印刷処理を行うことを表示する。このとき、図１０に示すプリント操作画面には、印刷処理を行う際の印刷条件、及び、「変更」・「キャンセル」・「ＯＫ」を表示したタッチパネルキーが表示される。
【００６７】
この表示に基づいて、ユーザは、上記カタログ又は説明書のデータファイルの印刷処理を行うか否かを判断し、表示された印刷条件にて印刷処理を行う場合には、図１０の操作表示パネル３１に表示される「ＯＫ」キーを押下する。また、表示された印刷条件を変更する場合には、「変更」キーを押下して、操作表示パネル３１の表示に基づいて、印刷条件を設定した後、「ＯＫ」キーを押下する。
【００６８】
これにより、「ＡＲ０１カタログ」又は「ＡＲ０１説明書」のデータファイルの印刷処理が実行される。このとき、操作表示パネル３１には、図１１に示すように、「ダイレクトプリントモード」等の表示がなされ、印刷処理が実行中であることをユーザに通知する画面が表示される。このとき、操作表示パネル３１には、印刷処理を中断するための「停止」キーも表示される。このようにして、印刷処理が終了すると、操作表示パネル３１には、再び図９に示す画面が表示される。
【００６９】
なお、上記カタログ又は説明書の頁数が膨大である等の理由により、印刷処理を実行しない場合には、図１０に示す操作表示パネル３１の、「キャンセル」キーを押下すればよい。また、上記カタログ又は説明書を閲覧することなく印刷処理を行うのではなく、閲覧した後に印刷処理を実行するか否かを決定してもよい。この場合も、印刷処理を実行しない場合と同様に、「キャンセル」キーを押下し、その後、操作表示パネル３１上にて閲覧する、あるいは、ＬＡＮ１９を経由して、該カタログ又は説明書をＰＣ１６に送信して閲覧すればよい。
【００７０】
一方、ワードデータ形式の仕様書を示すデータファイル名がユーザによって選択された場合には、処理判定設定部４は、デジタル複合機１３が有するソフトウェアではデータ処理を行うことができないと判定し、上記仕様書のデータファイルを情報蓄積部３（図１）の文書エリアに格納することを決定する。
【００７１】
具体的には、図９に示すデータファイル名のうち、「ＡＲ０１仕様書」が選択されると、処理判定設定部４は、デジタル複合機１３にてデータ処理が不可能であると判定する。このとき、操作表示パネル３１には、図１２に示すように、「プリントできません。データを保存します。」の表示がなされた文書・画像データ保存操作画面が表示され、ユーザに対して上記仕様書のデータファイルを保存することを通知する。このとき、図１２に示す操作表示パネル３１には、上記仕様書のデータファイルの保存場所（図中、文書エリア）、及び、「変更」・「キャンセル」・「ＯＫ」を表示したタッチパネルキーが表示される。
【００７２】
この表示に基づいて、ユーザは、上記仕様書のデータファイルを表示された保存場所に保存する場合には、「ＯＫ」キーを押下し、保存場所を変更する場合には、「変更」キーを押下して保存場所を変更した後、「ＯＫ」キーを押下する。これにより、仕様書のデータファイルの保存が開始され、図１３に示すように、操作表示パネル３１には、「データ蓄積モード」等の表示がなされ、データファイルの保存中であることをユーザに通知する。そして、上記仕様書のデータファイルの保存が完了すると、操作表示パネル３１には、図１４に示すように、「データ保存が完了しました」等が表示される。この表示を所定時間表示して、「ＡＲ０１仕様書」のデータファイルの保存が完了したことをユーザに通知すると、再び図９に示す画面が表示される。
【００７３】
また、ファームアップ実行ファイルデータ等のプログラムを示すデータファイル名がユーザによって選択された場合には、処理判定設定部４は、プログラムデータファイルであると判定し、上記プログラムのデータファイルを情報蓄積部３（図１）の所定のエリアに格納することを決定する。
【００７４】
具体的には、図９に示すデータリストの中から、「プログラム」が選択されると、処理判定設定部４は、ハードウェアやソフトウェアの制御用プログラム等として提供されるプログラムデータファイルであると認識して、デジタル複合機１３にてデータ処理を行うものではないと判定する。このとき、操作表示パネル３１には、図１５に示すように、「サービス用データです。データを保存します。」の表示がなされたプログラムデータ保存操作画面が表示され、ユーザに対してプログラムデータであることを通知し、該プログラムデータを保存することを通知する。このとき、操作表示パネル３１には、図１５に示すように、上記プログラムデータの保存場所（図中、サービス用データエリア）、及び、「キャンセル」・「ＯＫ」を表示したタッチパネルキーが表示される。
【００７５】
なお、上記プログラムは、デジタル複合機１３やＰＣ１６等に保存されて、その動作を制御するために用いられるものである。そのため、上記にて説明した仕様書のファイルデータのように、保存場所を変更することなく、あらかじめ設定された保存場所にのみ保存される。それゆえ、図１５に示す操作表示パネル３１には、保存場所を変更するための「変更」キーは、表示されていない。
【００７６】
そして、図１５に示す表示に基づいて、上記プログラムのファイルデータを保存する場合には、「ＯＫ」キーを押下し、保存しない場合には、「キャンセル」キーを押下する。「ＯＫ」キーが押下されると、プログラムの保存が開始され、図１３に示すように、操作表示パネル３１には、「データ蓄積モード」等の表示がなされ、「プログラム」のデータファイルの保存中であることをユーザに通知する。そして、「プログラム」のデータファイルの保存が完了すると、操作表示パネル３１には、図１４に示すように、「データ保存が完了しました」等の表示がなされ、プログラムのデータファイルの保存を完了したことが所定時間表示された後、図９に示す画面が表示される。
【００７７】
以上のデジタル複合機１３の動作を、図１６及び図１７に示すフローチャートに基づいて説明する。
【００７８】
図１６に示すように、Ｓ１では、図３に示すデジタル複合機１３の操作部３０にて、「インターネット」キーａが押下されたか否かを判定する。Ｓ１にて、「インターネット」キーａが押下されていないと判定されれば、Ｓ２に進み、「コピー」キーｂが押下されたか否かを判定する。Ｓ２にて「コピー」キーｂが押下されていると判定されれば、コピー処理を行うコピールーチンに進み、「コピー」キーｂが押下されていなければＳ３に進む。Ｓ３では、「ファックス」キーｃが押下されたか否かを判定し、「ファックス」キーｃが押下されていれば、ファックス処理を行うファックスルーチンに進む。これに対し、Ｓ３にて、「ファックス」キーが押下されていないと判定されれば、Ｓ４にて「プリンタ」キーｄが押下されたか否かを判定する。Ｓ４にて、「プリンタ」キーｄが選択されたと判定されれば、印刷処理を行うプリントルーチンに進み、「プリンタ」キーｄが選択されていなければ、Ｓ１に戻る。
【００７９】
Ｓ１にて、「インターネット」キーａが選択されれば、Ｓ５に進み、デジタル複合機１３の操作表示パネル３１に、図５に示す基本操作画面を表示する。Ｓ６では、図５に示す基本操作画面にて、「お気に入り」キー３４が押下されたか否かを判定し、押下されていればＳ７に進む。Ｓ７では、操作表示パネル３１に図６に示すお気に入り画面が表示される。Ｓ８では、図６のお気に入り画面に表示された、あらかじめユーザによってサーバアドレスが登録されたサーバを示すタッチパネルキー３８が押下されたか否かを判定し、押下されれば、サーバアドレスの入力が完了したと判定して、Ｓ１５に進む。Ｓ８にて、サーバを示すタッチパネルキー３８が押下されていないと判定されれば、Ｓ８を繰り返す。
【００８０】
これに対し、Ｓ６にて、「お気に入り」キー３４が押下されていない場合は、Ｓ９にて、「アドレス入力」キー３５が押下されたか否かを判定する。Ｓ９にて押下されていると判定されれば、Ｓ１０にて、操作表示パネル３１に図７に示す画面が表示される。そして、Ｓ１０では、図７に示す画面に表示されたキーボードタッチパネルキー３９を押下することによって、サーバアドレスを入力する。Ｓ１１では、Ｓ１０にて行われているサーバアドレスの入力が完了したか否かを判定し、入力が完了していれば、Ｓ１５に進む。Ｓ１１にて、サーバアドレスの入力が完了していないと判定されれば、Ｓ１１を繰り返す。
【００８１】
一方、Ｓ９にて、「アドレス入力」キー３５が押下されていないと判定されれば、Ｓ１２に進み、「履歴」キー３６が押下されたか否かを判定する。Ｓ１２にて、「履歴」キー３６が押下されていなければＳ６に戻り、押下されていればＳ１３に進む。Ｓ１３では、操作表示パネル３１に図８に示す画面が表示される。Ｓ１４では、過去にアクセスしたサーバが選択されることによってサーバアドレスの入力が完了したか否かを判定し、完了していればＳ１５に進む。Ｓ１４にて、サーバアドレスの入力が完了していないと判定されれば、Ｓ１４を繰り返す。
【００８２】
以上のようにして、デジタル複合機１３での処理や、インターネットへの接続が行われる。そして、デジタル複合機１３を用いて、インターネットへの接続が行われると、図１７のフローチャートに示す動作が行われる。なお、ここでは、図９に示すように、ＰＤＦファイル形式、ワードデータ形式、プログラムファイルデータのうちのいずれかのデータファイルにアクセスするものとする。
【００８３】
すなわち、図１６のフローチャートに基づいて説明したように、サーバアドレスの入力が完了し、インターネット１１（図１）を介してサーバ１２への接続が確立されると、図１７に示すＳ２０にて、操作表示パネル３１に、図９に示す画面が表示される。Ｓ２１では、図９に示されるデータリストのうち、データファイルが選択されたか否かを判定し、押下されていればＳ２２に進む。
【００８４】
一方、Ｓ２１にて、データファイルが選択されず、図９に示すタッチパネルキーが押下されると、図１６のフローチャートに示すＳ６に戻り、押下されたタッチパネルキーに基づいた処理が実行される。すなわち、図９に示す「お気に入り」キーが押下されると図６に示す画面に移動し、「アドレス入力」キーが押下されると図７に示す画面に移動する。また、「ホーム」キーが押下されると図５の画面が表示され、「履歴」キーが押下されると、図８に示す画面が表示される。これらの画面が表示された後の操作は、上記にて既に説明したので、ここでの詳細な説明は省略する。
【００８５】
Ｓ２２では、図９に示すデータファイルのうち、ＰＤＦファイル形式のデータファイルが選択されたか否かを判定する。なお、本実施の形態では、ＰＤＦファイル形式を例に挙げているが、Ｓ２２では、デジタル複合機１３にてデータ処理が可能なデータ形式であるか否かが判定されればよい。
【００８６】
上記Ｓ２２にて、ＰＤＦファイル形式のデータファイルが選択されていると判定されれば、Ｓ２３にて、図１０に示すプリント操作画面を表示する。Ｓ２４では、図１０に示すタッチパネルキーのうち、「ＯＫ」キーが押下されているかを判定し、押下されていれば、Ｓ２５に進んで所定の印刷処理を実行する。一方、Ｓ２４にて「ＯＫ」キーが押下されていなければ、Ｓ２４の動作を繰り返す。
【００８７】
これに対し、Ｓ２２にて、ＰＤＦファイル形式のデータファイルが選択されていないと判定されれば、Ｓ２６に進み、ワードデータ形式のデータファイルが選択されたか否かを判定する。本実施の形態では、ワードデータ形式を例に挙げているが、Ｓ２６では、デジタル複合機１３にてデータ処理が不可能であって、例えばＰＣ１６等ではデータ処理が可能であり、ＰＣ１６からの要求によってデジタル複合機１３での印刷処理が可能であるデータ形式であるか否かが判定されればよい。つまり、Ｓ２６では、後述するプログラムのデータファイル以外の、例えば文書データ形式や画像データ形式のデータファイルであるか否かを判定すればよい。
【００８８】
上記Ｓ２６にて、ワードデータ形式のデータファイルが選択されていればＳ２７に進む。Ｓ２７では、図１２に示す文書・画像データ保存操作画面を表示し、Ｓ２８にて、図１２に示すタッチパネルキーのうち「ＯＫ」キーが押下されれば、Ｓ２９に進んで、ワードデータ形式のデータファイルを保存する。一方、Ｓ２８にて「ＯＫ」キーが押下されていなければ、Ｓ２８の動作を繰り返す。
【００８９】
また、Ｓ２６にて、ワードデータ形式のデータファイルが選択されていないと判定されればＳ３０に進み、Ｓ３１では、図１４に示すプログラムデータ保存操作画面を表示する。続いて、Ｓ３２にて、図１４に示すタッチパネルキーのうち、「ＯＫ」キーが押下されれば、Ｓ３３に進んで、プログラムのデータファイルを保存する。一方、Ｓ３２にて、「ＯＫ」キーが押下されていなければ、Ｓ３２の動作を繰り返す。
【００９０】
上記Ｓ２５での印刷処理、Ｓ２９及びＳ３３でのデータファイルの保存が終了すると、再びＳ２１からの操作を実行する。
【００９１】
以上のように、あらかじめ処理判定設定部４（図１）にて、各種の情報に施される情報の取扱い方法を設定しておくことにより、インターネット１１を介して受信された各種の情報の取扱いを容易にすることができる。
【００９２】
すなわち、例えば、ＰＤＦファイル形式の上記カタログや仕様書等のデータファイルは、ユーザがホームページ上にて閲覧するよりも、むしろ記録用紙等に印刷することによって利用される可能性が高い。そこで、このようなデータファイルに対しては、印刷処理を実行するように設定しておけばよい。
【００９３】
また、プログラムデータファイルについては、ＰＣ１６等の情報処理装置内での制御プログラムとして用いられるものであるから、画像処理部２での画像処理が行われることはない。従って、このような情報は、情報蓄積部３等に一旦格納する。そして、ネットワークを介して、又は、記憶媒体等を用いて、上記画像処理装置の情報蓄積部３から、ユーザが所望する外部の情報処理装置等へ移動させれば、入手した情報を外部の情報処理装置にて好適に利用することができる。
【００９４】
このように、デジタル複合機１３の処理判定設定部４は、各種の情報のデータ形式を判定し、この判定結果に基づいて、上記情報の取扱い方法を設定する。そして、この設定結果に基づいて、ユーザに対して情報の取扱い方法を提案することにより、デジタル複合機１３で行い得る取扱い方法を設定することができる。それゆえ、たとえユーザが、サーバから入手した情報の種類や、上記画像処理装置にてデータ処理を行い得る情報の種類を正しく認識していない場合にも、上記情報のデータ形式に応じた好適な取扱い方法を提案することができる。これにより、デジタル複合機１３にて、インターネット１１を介して受信した情報を迅速に処理することが可能になり、ユーザ及びデジタル複合機１３の操作性を向上することができる。
【００９５】
【発明の効果】
本発明の画像処理装置は、以上のように、サーバから受信した情報の種類を判別する判別部と、上記判別部の判別結果に基づいて、上記情報の取扱い方法を設定する処理設定部とを備えているものである。
【００９６】
それゆえ、サーバによって提供される情報の種類に応じて、所定の取扱い方法を自動的に設定することができるので、上記情報を入手する場合に、上記情報の種類に応じて適切な取扱い方法をユーザに対して提案することができる。また、上記判別部で入手した情報の種類を判別しているので、画像処理装置では、上記情報の種類に応じた取扱いがなされる。従って、画像処理装置での上記情報の取扱いを迅速に行うことができるので、ユーザ及び画像処理装置の操作性を向上することができる。
【００９７】
また、本発明の画像処理装置は、上記の画像処理装置において、さらに、上記情報を表示する表示部を備え、上記判別部は、上記表示部に表示された上記情報の中から選択された情報の種類を判別するものである。
【００９８】
それゆえ、ユーザは、画像処理装置を用いて、容易に所望する情報を入手することができるという効果を奏する。
【００９９】
また、本発明の画像処理装置は、上記の画像処理装置において、上記表示部は、さらに、上記処理設定部にて設定された取扱い方法を表示するものである。
【０１００】
それゆえ、ユーザに対して、処理設定部にて設定された情報の取扱い方法を通知することができるので、ユーザは、上記処理設定部にて設定された情報の取扱い方法が、所望する取扱い方法であるか否かを判断することができる。従って、上記画像処理装置にて、ユーザが所望しない取扱い方法が設定されることを防止することができるという効果を奏する。
【０１０１】
また、本発明の画像処理装置は、上記の画像処理装置において、さらに、上記情報の画像処理を行う画像処理部と、上記情報を蓄積する情報蓄積部とを備え、上記判別部は、上記画像処理部にて画像処理が可能な種類の情報であるか否かを判別し、上記処理設定部は、上記判別部にて上記情報の画像処理が可能であると判別された情報を上記画像処理部で取扱い、上記判別部にて上記情報の画像処理が不可能であると判別された情報を上記情報蓄積部で取扱う取扱い方法を設定するものである。
【０１０２】
それゆえ、画像処理が可能な情報については、画像処理装置以外の情報処理装置を経ることなく、画像処理装置にて即座に画像処理を施すことができるので、上記情報の画像処理を迅速に実行することができるという効果を奏する。また、画像処理が可能でない情報については、一旦情報蓄積部に格納された後、該情報蓄積部から外部の情報処理装置等へ移動することによって、外部の情報処理装置等にて各情報に好適な処理を施すことができるという効果を奏する。
【０１０３】
また、本発明の情報処理システムは、以上のように、上記画像処理装置と、各種の情報を管理するとともに上記画像処理装置に対して上記情報を提供するサーバとが、ネットワークを介して接続されてなるものである。
【０１０４】
それゆえ、サーバから提供された情報の種類をユーザが判断することなく、上記情報に対して、好適な取扱い方法を設定することができる。これにより、ユーザ及び画像処理装置の操作性を向上することができるという効果を奏する。
【０１０５】
また、本発明の情報処理方法は、以上のように、サーバから受信した情報の種類を判別する判別ステップと、上記判別ステップでの判別結果に基づいて、上記情報の取扱い方法を設定する取扱い設定ステップとを備えている方法である。
【０１０６】
それゆえ、サーバから提供される情報の種類をユーザが判断することなく、情報の種類に応じた取扱い方法を設定することができるという効果を奏する。
【０１０７】
また、本発明の情報処理方法は、上記の情報処理方法において、上記判別ステップでは、上記画像処理装置にて画像処理が可能な種類の情報であるか否かを判別し、上記取扱い設定ステップでは、上記判別ステップにて画像処理が可能であると判別された情報に対して、画像処理の取扱い方法を設定し、上記判別ステップにて画像処理が不可能であると判別された情報に対して、該情報を蓄積する情報蓄積処理の取扱い方法を設定するものである。
【０１０８】
それゆえ、画像処理装置での画像処理が可能な情報については、迅速に画像処理を施すことができる。また、画像処理装置での画像処理が可能でない情報については、該情報を蓄積する情報蓄積処理がなされる。そのため、情報の種類に応じて、好適な取扱い方法が設定されるので、画像処理装置での迅速な情報処理を実行することができるという効果を奏する。
【図面の簡単な説明】
【図１】本発明の情報処理システムにおけるデジタル複合機の構成を示すブロック図である。
【図２】本発明における情報処理システムの構成を示すブロック図である。
【図３】上記デジタル複合機の操作部を示す平面図である。
【図４】上記デジタル複合機にてコピー処理を行う場合の操作表示パネルを示す平面図である。
【図５】上記デジタル複合機にてインターネットに接続する場合に、操作表示パネルに表示される基本操作画面を示す平面図である。
【図６】デジタル複合機の操作表示パネルに表示されるお気に入り画面を示す平面図である。
【図７】デジタル複合機の操作表示パネルに表示されるアドレス入力画面を示す平面図である。
【図８】デジタル複合機の操作表示パネルに表示される履歴画面を示す平面図である。
【図９】図６にて、「データリスト」キーを押下した場合の操作表示パネルを示す平面図である。
【図１０】デジタル複合機の操作表示パネルに表示されるプリント操作画面を示す平面図である。
【図１１】デジタル複合機にて印刷処理が行われている場合の操作表示パネルを示す平面図である。
【図１２】デジタル複合機の操作表示パネルに表示される文書・画像データ保存操作画面を示す平面図である。
【図１３】デジタル複合機にてデータファイルの保存が行われている場合の操作表示パネルを示す平面図である。
【図１４】デジタル複合機にてデータファイルの保存が完了した場合の操作表示パネルを示す平面図である。
【図１５】デジタル複合機の操作表示パネルに表示されるプログラムデータ保存操作画面を示す平面図である。
【図１６】本発明における情報処理システムのデジタル複合機における動作を示すフローチャートである。
【図１７】本発明における情報処理システムにおけるデータファイルの取扱い方法を設定する動作を示すフローチャートである。
【符号の説明】
１    制御部
２    画像処理部
３    情報蓄積部
４    処理判定設定部（判別部・処理設定部）
５    ネットワーク接続部
１１    インターネット（ネットワーク）
１２    サーバ
１３〜１５    デジタル複合機（画像処理装置）
１６    ホストコンピュータ（ＰＣ）
１７・１８    パーソナルコンピュータ（ＰＣ）
１９〜２１    ローカルエリアネットワーク（ＬＡＮ、ネットワーク）
３０    操作部
３１    操作表示パネル（表示部）
【図１】
2004206302.tif 000003
【図２】
2004206302.tif 000004
【図３】
2004206302.tif 000005
【図４】
2004206302.tif 000006
【図５】
2004206302.tif 000007
【図６】
2004206302.tif 000008
【図７】
2004206302.tif 000009
【図８】
2004206302.tif 000010
【図９】
2004206302.tif 000011
【図１０】
2004206302.tif 000012
【図１１】
2004206302.tif 000013
【図１２】
2004206302.tif 000014
【図１３】
2004206302.tif 000015
【図１４】
2004206302.tif 000016
【図１５】
2004206302.tif 000017
【図１６】
2004206302.tif 000018
【図１７】
2004206302.tif 000019